(57)【要約】【課題】シーンチェンジ点でファイル分割を行って再生時等の利便性を向上させる。【解決手段】磁気テープからのアナログ映像信号のデジタル化及び第１画像ファイルへの記録の開始後、第１画像ファイルのファイルサイズが、ＦＡＴ３２の上限サイズ４ＧＢを元に設定された基準サイズ（例えば３．６ＧＢ）に達したら、シーンチェンジ点の有無を監視する。シーンチェンジ点が検出されたタイミング（ｔ［３］）において、第１画像ファイルへの画像データの記録を終了し、以後の画像データを第２画像ファイルに記録する。【選択図】図７
2014086814.tif 000002
【特許請求の範囲】
【請求項１】
動画像の画像データを取得するデータ取得部と、
記録媒体に画像ファイルを作成して前記画像ファイルに前記画像データを記録する記録制御部と、を備え、
前記記録制御部は、前記画像データの第１画像ファイルへの記録開始後、前記第１画像ファイルのファイルサイズが所定の基準サイズに達したとき、前記動画像の時系列上における特異点の有無を監視し、前記特異点が検出されたとき、前記画像データの前記第１画像ファイルへの記録を終了して、以後、前記画像データを前記第１画像ファイルと異なる第２画像ファイルに記録する
ことを特徴とする画像記録装置。
【請求項２】
前記記録制御部は、前記記録媒体において定められた画像ファイルの上限サイズに基づき、前記基準サイズを設定する
ことを特徴とする請求項１に記載の画像記録装置。
【請求項３】
前記記録制御部は、前記動画像の画像データに基づき前記特異点の有無を検出し、前記第１画像ファイルのファイルサイズが前記基準サイズから前記上限サイズに近づくにつれ、前記特異点が有ると検出するための判断基準を緩める
ことを特徴とする請求項２に記載の画像記録装置。
【請求項４】
前記記録制御部は、前記動画像の特徴量のフレーム間における変化量を所定の判定閾値と比較することで前記特異点の有無を検出し、前記第１画像ファイルのファイルサイズが前記基準サイズから前記上限サイズに近づくにつれて前記判定閾値を変化させることで前記判断基準を緩める
ことを特徴とする請求項３に記載の画像記録装置。
【請求項５】
前記特異点は、シーンチェンジ点を含む
ことを特徴とする請求項１〜請求項４の何れかに記載の画像記録装置。
【発明の詳細な説明】
【技術分野】
【０００１】
本発明は、画像記録装置に関する。
【背景技術】
【０００２】
数年前までは、Ｈｉ８、ＤＶＣ及びＶＨＳ−Ｃなどの磁気テープに映像信号を記録するビデオカメラが主流であり、多数普及した。しかし、現在では、半導体メモリや磁気ディスク等に画像を記録するビデオカメラが主流となり、磁気テープ式のビデオカメラは店頭から完全に又はほぼ消滅した。このため、記録時に利用したビデオカメラが壊れると、その代替となる機器の新規購入が困難であるが故に、磁気テープに記録された映像は、再生が極めて困難となる。
【０００３】
そこで、磁気テープに記録した映像のデジタルファイル化のための製品も開発及び発売されている（例えば下記非特許文献１参照）。この種の製品では、アナログ映像信号を本体内にてデジタル化してからパーソナルコンピュータに入力し、パーソナルコンピュータにてデジタルファイル化を行うようにしている。
【０００４】
上記のような製品を利用するユーザは、通常、磁気テープ（例えば６０分や１２０分の磁気テープ）の１本分、磁気テープ式のビデオカメラに映像信号を連続再生させて該映像信号を上記製品に入力する。これにより、基本的には、磁気テープの１本に対して１つの画像ファイル（動画像ファイル）が作成されるが、画像ファイルのファイルサイズが所定の上限サイズに達した場合には、その時点でファイル分割（記録される画像ファイルの分割）が行われる。例えば、ＦＡＴ３２のファイルシステムでは上限サイズは４ＧＢである。従って例えば、磁気テープ１本から６ＧＢに相当する画像データが生成された場合には、最初の４ＧＢ分の画像データを格納した第１画像ファイルと、残りの２ＧＢ分の画像データを格納した第２画像ファイルが作成され、記録されることになる。ファイル分割は、映像信号の内容に関係なく実行されるため、図８に示す如く、４ＧＢの境界をまたぐ共通シーンの画像データ（例えば運動会の様子の撮影画像データ）が別々の画像ファイルに分かれて記録されることになる。
【０００５】
尚、特許文献１には、視聴者の視聴可能時間が限られている場合に、複数のコンテンツの中から当該時間内に収まるコンテンツを選択し再生する方法が開示されており、その方法の中で、シーンチェンジを利用してコンテンツ分割を行うことが示されている（特に［０００６］、［００３１］参照）。
【先行技術文献】
【特許文献】
【０００６】
【特許文献１】特開２０１１−２４９９４０号公報
【非特許文献】
【０００７】
【非特許文献１】Ｉ・Ｏデータ、ＵＳＢ接続ビデオキャプチャーカタログ、“ＧＶ−ＵＳＢ２／ＨＱ”、［ｏｎｌｉｎｅ］、平成２２年、［平成２４年１月２５日検索］、インターネット＜URL：http://www.iodata.jp/product/av/capture/gv-usb2hq＞
【発明の概要】
【発明が解決しようとする課題】
【０００８】
共通シーンの画像データが第１及び第２画像ファイルに分かれて記録（保存）されると、再生時等においてユーザが不便を感じる。例えば、当該共通シーンを鑑賞しようとしたとき、一般的には、第１画像ファイルの再生の後、第２画像ファイルを別途再生する必要があり、手間がかかる。特に、第１及び第２画像ファイルが２つのメディア（例えば、４．７ＧＢの記録容量を持つＤＶＤ）に分けて保存された場合などにおいては、再生機器に対してメディアの入れ替えが必要になる。また、ユーザのファイル管理面においても、共通シーンが別々の画像ファイルに分けて記録されている状態は好ましくない。
【０００９】
そこで本発明は、再生時等における利便性の向上に寄与する画像記録装置を提供することを目的とする。
【課題を解決するための手段】
【００１０】
本発明に係る画像記録装置は、動画像の画像データを取得するデータ取得部と、記録媒体に画像ファイルを作成して前記画像ファイルに前記画像データを記録する記録制御部と、を備え、前記記録制御部は、前記画像データの第１画像ファイルへの記録開始後、前記第１画像ファイルのファイルサイズが所定の基準サイズに達したとき、前記動画像の時系列上における特異点の有無を監視し、前記特異点が検出されたとき、前記画像データの前記第１画像ファイルへの記録を終了して、以後、前記画像データを前記第１画像ファイルと異なる第２画像ファイルに記録することを特徴とする。
【００１１】
これにより、特異点（例えばシーンチェンジ点）を境界にファイル分割が行われるようになり、再生時等における利便性向上が期待される。
【００１２】
具体的には例えば、前記記録制御部は、前記記録媒体において定められた画像ファイルの上限サイズに基づき、前記基準サイズを設定すると良い。
【００１３】
そして例えば、前記記録制御部は、前記動画像の画像データに基づき前記特異点の有無を検出し、前記第１画像ファイルのファイルサイズが前記基準サイズから前記上限サイズに近づくにつれ、前記特異点が有ると検出するための判断基準を緩めても良い。
【００１４】
これにより、過度のファイル分割を抑制しつつ特異点を境界にしたファイル分割が促進される。
【００１５】
より具体的には例えば、  前記記録制御部は、前記動画像の特徴量のフレーム間における変化量を所定の判定閾値と比較することで前記特異点の有無を検出し、前記第１画像ファイルのファイルサイズが前記基準サイズから前記上限サイズに近づくにつれて前記判定閾値を変化させることで前記判断基準を緩めると良い。
【００１６】
また例えば、前記特異点はシーンチェンジ点を含む。
【発明の効果】
【００１７】
本発明によれば、再生時等における利便性の向上に寄与する画像記録装置を提供することが可能である。
【図面の簡単な説明】
【００１８】
【図１】本発明の実施形態に係る電子機器の概略全体ブロック図である。
【図２】画像データ及び音響データの記録に関わる部位のブロック図である。
【図３】１つの動画像の全区間を示す図である。
【図４】画像ファイルの構造を示す図である。
【図５】一連のアナログ映像信号と、それに基づくデジタル動画像と、シーンチェンジ点との関係を示す図である。
【図６】本発明の実施形態に係る電子機器の記録動作のフローチャートである。
【図７】シーンチェンジ点を境界にファイル分割が行われる様子を示した図である。
【図８】従来製品によるファイル分割の例を示す図である。
【発明を実施するための形態】
【００１９】
以下、本発明の実施形態の例を、図面を参照して具体的に説明する。参照される各図において、同一の部分には同一の符号を付し、同一の部分に関する重複する説明を原則として省略する。尚、本明細書では、記述の簡略化上、情報、信号、物理量、状態量又は部材等を参照する記号又は符号を記すことによって該記号又は符号に対応する情報、信号、物理量、状態量又は部材等の名称を省略又は略記することがある。
【００２０】
図１は、本発明の実施形態に係る電子機器１の概略全体ブロック図である。電子機器１は、符号１１〜１９によって参照される各部位を備える。
【００２１】
入力端子１１は、アナログ信号供給源（不図示）からアナログ映像信号及びアナログ音響信号の入力を受ける。入力端子１１への入力アナログ映像信号は、任意の規格（例えば、National Television System Committeeの規格）に従ったアナログの映像信号であり、入力端子１１への入力アナログ音響信号は、入力端子１１への入力アナログ映像信号に同期したアナログの音響信号である。アナログ信号供給源は、例えば、アナログ映像信号及びアナログ音響信号を記録及び再生可能なビデオカメラ、又は、アナログ映像信号及びアナログ音響信号を再生可能な再生機器であり、磁気テープ等に記録されたアナログ映像信号及びアナログ音響信号を再生することでそれらを入力端子１１に供給する。
【００２２】
アナログ信号処理部１２は、入力端子１１への入力アナログ映像信号及び入力アナログ音響信号をデジタル化するアナログ／デジタル変換処理を実行し、これによって任意の規格に従ったデジタルの映像信号（ＲＧＢ形式又はＹＵＶ形式の映像信号）及び音響信号を生成する。アナログ信号処理部１２にて生成されるデジタルの映像信号をデジタル画像データ又は単に画像データと呼び、アナログ信号処理部１２にて生成されるデジタルの音響信号をデジタル音響データ又は単に音響データと呼ぶ。アナログ信号処理部１２は、入力アナログ映像信号及び音響信号からデジタル画像データ及び音響データを生成する過程において、アナログ／デジタル変換処理以外の所定の信号処理（例えば、ノイズ低減処理、エッジ強調処理）を行うようにしても良い。尚、或る動画像に関し、アナログ映像信号もデジタル画像データも、動画像の画像信号の一種である。
【００２３】
主制御部１３は、電子機器１内の各部位の動作を統括的に制御する。主制御部１３を集積回路にて形成することができる。主制御部１３は、様々なプログラムを実行可能なＣＰＵ（Central Processing Unit）３１と、ＭＰＥＧ（Moving Picture Experts Group）等の任意のデータ圧縮規格に従ってデジタル画像データ及び音響データの圧縮を行う圧縮処理部３２と、を有する。
【００２４】
メモリ部１４は、例えば半導体メモリから成り、ＣＰＵ３１で実行される各種プログラムを記憶するプログラムメモリ及び主制御部１３で生成及び利用される任意のデータの一時的記憶を行うデータメモリを有する。表示部１５は、液晶ディスプレイパネル等の表示画面を有する表示装置であり、主制御部１３の制御の下、任意の画像を表示する。記録媒体１６は、半導体メモリ、光ディスク、磁気ディスク又は光磁気ディスク等の不揮発性メモリであり、主制御部１３の制御の下、画像データを含む任意のデータを記録する。操作部１７は、ユーザからの各種操作の入力を受け付ける。操作部１７に入力された操作内容は主制御部１３に伝達される。表示部１５にタッチパネルが設けられる場合、該タッチパネルは操作部１７に含まれる。スピーカ部１８は、任意の音響データ（例えば、記録媒体１６に記録された音響データ）を音として再生出力する。また、主制御部１３は、自身が取り扱う任意の画像データ及び音響データを、出力端子１９を介して電子機器１の外部機器（例えばテレビ受信機）に出力することができる。
【００２５】
図２は、画像データ及び音響データの記録に関わる部位のブロック図である。ファイル作成部３３及びシーンチェンジ検出部３４を主制御部１３に設けておくことができ、作成部３３及び検出部３４の機能の全部又は一部は、ＣＰＵ３１にて実現されうる。主制御部１３に内包され且つ記録媒体１６に接続された記録制御部５０は、処理部３２、作成部３３及び検出部３４を含んでいると考えることができる。アナログ信号処理部１２から供給される一連のデジタル画像データから成る任意の１つの動画像を動画像ＭＶと呼ぶ（但し、動画像ＭＶは一連の入力アナログ映像信号から形成される任意の１つの動画像でもある）。動画像ＭＶは、所定のフレーム周期で時系列上に並ぶ複数のフレーム画像（以下、単にフレームとも言う）から成る。動画像ＭＶにはデジタル音響データ（又はアナログ音響信号）が付随しているため、デジタル音響データ（又はアナログ音響信号）も動画像ＭＶの構成要素であると考える。図３に示す如く、動画像ＭＶの画像データが存在する時間軸上の区間の全体を全区間と呼ぶ。全区間の開始及び終了タイミング間の時間長さが動画像ＭＶの長さに相当する。
【００２６】
圧縮処理部３２は、動画像ＭＶのデジタル画像データ及びデジタル音響データの圧縮を行って動画像ＭＶの圧縮画像データ及び圧縮音響データを生成する。
【００２７】
ファイル作成部３３は、記録媒体１６内に画像ファイルＦＬを作成し、画像ファイルＦＬ内に動画像ＭＶの圧縮画像データ及び圧縮音響データを書き込む（換言すれば、格納、保存、記録）ことで動画像ＭＶの圧縮画像データ及び圧縮音響データを記録媒体１６に記録する。図４に１つの画像ファイルＦＬの構造を示す。画像ファイルＦＬは、互いに関連付けられた本体領域とヘッダ領域から形成され、本体領域内に動画像ＭＶの圧縮画像データ及び圧縮音響データが格納される。ヘッダ領域には、動画像ＭＶに付随する付加情報（画像ファイルＦＬのファイル名、サムネイル画像等）が書き込まれる。
【００２８】
シーンチェンジ検出部３４は、動画像ＭＶの画像データに基づき動画像ＭＶの時系列上の特異点であるシーンチェンジ点を検出する。この検出を行う処理をＳＣ検出処理と呼ぶ。動画像ＭＶは、１以上のシーン（撮影風景）を撮影することで得られるが、シーンチェンジ点とは、動画像ＭＶの中でシーン（撮影風景）が変化している時系列上の点（或るシーンから他のシーンへの切り替わり時点）を指す。時系列上の点をタイミングと考えても良い。尚、動画像ＭＶの開始タイミングはシーンチェンジ点ではない。
【００２９】
本実施形態では特に、動画像ＭＶの画像データの元となる入力アナログ映像信号及び音響信号が、磁気テープに記録された１２０分の長さを有するアナログ映像信号及び音響信号であって、且つ、入力アナログ映像信号は、図示されないアナログビデオカメラによる撮影にて生成されて上記磁気テープに記録されていることを想定する。そうすると、１２０分の長さを有する動画像ＭＶの中には１以上のシーンチェンジ点が内包されることが多い。
【００３０】
図５に、デジタルの動画像ＭＶと、デジタルの動画像ＭＶの元となる１２０分ぶんの入力アナログ映像信号３１０との関係を示す。入力アナログ映像信号３１０は、第１〜第ｎ期間において第１〜第ｎシーンを上記アナログビデオカメラで撮影することで得られた第１〜第ｎアナログ映像信号を時系列上に並べて結合したものに相当する（ｎは２以上の整数）。第（ｉ＋１）期間は第ｉ期間よりも後の期間であり、第ｉ期間において第ｉシーンが撮影されて第ｉアナログ映像信号が得られる（ｉは任意の整数）。第１〜第ｎシーンは互いに異なるシーン（撮影風景）である。従って、第ｉ及び第（ｉ＋１）期間の境界タイミングにおいて撮影のシーン（撮影風景）が変化しており、シーンチェンジ検出部３４は、動画像ＭＶの画像データを解析し、動画像ＭＶ上において上記境界タイミングを検出することで、シーンチェンジ点を検出する。
【００３１】
動画像ＭＶの時系列上において、第（ｉ−１）シーンから第ｉシーンへの切り替わり直後のタイミングを記号ｔ［ｉ］にて表し、第ｉシーンの画像データが存在する区間を記号Ａ［ｉ］にて表す。従って、変数ｉが２以上且つ（ｎ−１）以下の整数であるとした場合、区間Ａ［ｉ］は、タイミングｔ［ｉ］からタイミングｔ［ｉ＋１］の直前までの区間である。区間Ａ［１］は、動画像ＭＶの開始タイミングからタイミングｔ［２］の直前までの区間であり、区間Ａ［ｎ］は、タイミングｔ［ｎ］から動画像ＭＶの終了タイミングまでの区間である。区間Ａ［１］〜Ａ［ｎ］によって動画像ＭＶの全区間が形成される。シーンチェンジ検出部３４は、動画像ＭＶに対するＳＣ検出処理により動画像ＭＶの時系列上における各シーンチェンジ点を検出し、これによって各シーンチェンジ点のタイミング（即ちｔ［２］〜ｔ［ｎ］）を検出する。
【００３２】
動画像の画像データに基づきシーンチェンジ点を検出する方法として様々な方法が公知となっており、シーンチェンジ検出部３４は、それらの公知の方法（例えば、特開２００３−２８３８３８号公報、特開２０１０−１４８０５３号公報に記載された方法）を用いてシーンチェンジ点を検出することができる。例えば、ＳＣ検出処理において、検出部３４は、動画像ＭＶの特徴量のフレーム間における変化量ＶFTを所定の判定閾値ＴＨと比較することでシーンチェンジ点（シーンチェンジ点の有無）を検出する。この際、検出部３４は、変化量ＶFTが判定閾値ＴＨ以上であればシーンチェンジ点が有ると判断し、変化量ＶFTが判定閾値ＴＨ未満であればシーンチェンジ点が無いと判断することができる。換言すれば、検出部３４は、動画像ＭＶの時系列上の各タイミングを注目タイミングとして捉え、注目タイミングにおいて判定閾値ＴＨ以上の変化量ＶFTが観測された場合、注目タイミングはシーンチェンジ点であると判断し、注目タイミングにおける変化量ＶFTが判定閾値ＴＨ未満の場合には、注目タイミングはシーンチェンジ点でないと判断する。
【００３３】
或るフレームの特徴量は、当該フレームと直前フレームとの間の画像の変化、当該フレームの空間周波数成分（換言すればエッジ情報）、色情報若しくは輝度情報に依存する、又は、それらの組み合わせに依存する。例えば、動画像ＭＶの圧縮画像データである符号化データのデータ量（ビットレートを単位とするデータ量）を特徴量として用いても良い。圧縮処理部３２では、動画像ＭＶの各フレームを複数のブロックに分割し、ブロックごとに画像データの圧縮を行うことでブロック毎に符号化データを生成する。注目フレームに関する注目ブロックの符号化データのデータ量は、注目フレームと注目フレームの直前フレームとの間における注目ブロック内の画像の変化や、注目フレームにおける注目ブロック内の空間周波数成分に依存する。検出部３４は、動画像ＭＶの各タイミングにおいて、符号化データのデータ量のフレーム間変化量が判定閾値ＴＨ以上になっているブロックの個数を計数し、計数された個数が所定値以上になっているタイミングをシーンチェンジ点として検出することができる（このような検出を行う場合、検出部３４は圧縮処理部３２と連動して動作する）。
【００３４】
ところで、記録媒体１６に記録可能な画像ファイルＦＬのファイルサイズには上限がある。その上限値である所定の上限サイズＬＩＭは、電子機器１及び記録媒体１６で採用されるファイルシステムに依存する。電子機器１及び記録媒体１６において採用されるファイルシステムは任意であり、従って上限サイズＬＩＭも採用ファイルシステムに応じて変化するが、ここでは、電子機器１及び記録媒体１６においてＦＡＴ（File Allocation Table）３２のファイルシステムが採用されていて、上限サイズＬＩＭが４．０ＧＢ（ギガバイト）であるとする。
【００３５】
図６は、電子機器１における記録動作のフローチャートである。図６を参照して、記録動作の流れを説明する。図６の説明において、画像データ及び音響データは動画像ＭＶの画像データ及び音響データを指す。尚、ｉ及びｊが互いに異なる任意の整数である場合、第ｉ画像ファイルと第ｊ画像ファイルは互いに異なる画像ファイルである。
【００３６】
まず、ステップＳ１１において、入力アナログ映像信号３１０及び入力アナログ音響信号の入力端子１１への供給が開始され、入力アナログ映像信号３１０及び入力アナログ音響信号に基づく画像データ及び音響データの生成が開始される。この際、ステップＳ１２にて変数ｊに初期値１が代入される。この後、ファイル作成部３３は、ステップＳ１３において第ｊ画像ファイルを記録媒体１６内に作成し、続くステップＳ１４において第ｊ画像ファイルへの圧縮画像データ及び圧縮音響データの記録（保存）を開始する。
【００３７】
続いて、ファイル作成部３３は、ステップＳ１５及びＳ１６において、操作部１７に対し所定の記録終了操作が入力されたか否かを確認しつつ、第ｊ画像ファイルのファイルサイズＳＺ［ｊ］を監視し、ファイルサイズＳＺ［ｊ］が所定の基準サイズＲＥＦに達した時点でステップＳ１６からステップＳ２１への遷移を発生させる。ファイルサイズＳＺ［ｊ］が基準サイズＲＥＦに達する前に操作部１７に対して記録終了操作が入力された場合には、第ｊ画像ファイルのクローズ処理を行って図６の記録動作を終了する。第ｊ画像ファイルのクローズ処理によって、圧縮画像データ及び圧縮音響データの第ｊ画像ファイルへの記録が終了し、ファイル作成部３３による第ｊ画像ファイルに対するアクセスが終了する。
【００３８】
記録制御部５０は、画像ファイルの上限サイズＬＩＭに基づき、上限サイズＬＩＭより小さなファイルサイズ（例えば３．６ＧＢ）を基準サイズＲＥＦに設定する。例えば、記録制御部５０は、上限サイズＬＩＭより所定量だけ小さなサイズを基準サイズＲＥＦに設定する、或いは、上限サイズＬＩＭのｋ倍を基準サイズＲＥＦに設定する（ｋは、０＜ｋ＜１を満たす任意の係数）。
【００３９】
ステップＳ２１において、ファイル作成部３３は、シーンチェンジ検出部３４のＳＣ検出処理の結果を用いて、シーンチェンジ点の有無を監視する処理であるＳＣ有無監視を開始する。ＳＣ有無監視の開始後、ステップＳ２２及びＳ２３において、ファイル作成部３３は、ＳＣ検出処理によってシーンチェンジ点が検出されたか否かを確認する一方で、ファイルサイズＳＺ［ｊ］が上限サイズＬＩＭに達したか否かを確認する。ＳＣ有無監視の開始後、シーンチェンジ点が検出された場合、又は、ファイルサイズＳＺ［ｊ］が上限サイズＬＩＭに達した場合には、ステップＳ２２又はＳ２３からステップＳ２６への移行が発生し、ステップＳ２６及びＳ２７の処理を経てステップＳ１３に戻る。
【００４０】
ステップＳ２６において、ファイル作成部３３は、第ｊ画像ファイルのクローズ処理を行うことによって圧縮画像データ及び圧縮音響データの第ｊ画像ファイルへの記録を終了する。続くステップＳ２７では、変数ｊに１が加算され、その後ステップＳ１３に戻る。
【００４１】
ステップＳ２２及びＳ２３において、シーンチェンジ点が検出されず且つファイルサイズＳＺ［ｊ］が上限サイズＬＩＭに達していない場合には、ステップＳ２４の判定閾値調整処理を介して、ステップＳ２５に移行する。ステップＳ２５において、ファイル作成部３３は、操作部１７に対し所定の記録終了操作が入力されたか否かを確認し、操作部１７への記録終了操作の入力が確認された場合には第ｊ画像ファイルのクローズ処理を行って図６の記録動作を終了する。当該入力が確認されない場合にはステップＳ２５からステップＳ２２への移行が発生し、上述のステップＳ２２及びそれ以降の処理を繰り返す。
【００４２】
シーンチェンジ点の有無を峻別するための上記判定閾値ＴＨは、ＳＣ有無監視の開始時点において初期値ＴＨINITを有している（ＴＨINIT＞０）。ステップＳ２４の判定閾値調整処理において、記録制御部５０（ファイル作成部３３又は記録制御部５０内の閾値調整部）は、ファイルサイズＳＺ［ｊ］が基準サイズＲＥＦから上限サイズＬＩＭに近づくにつれ、判定閾値ＴＨを初期値ＴＨINITから徐々に減ずる。判定閾値ＴＨが小さくなると、シーンチェンジ点が有ると検出するための判断基準（即ち、シーンチェンジ点が有ると判断されるために必要な条件）が緩くなり、シーンチェンジ点が有ると検出されやすくなる。尚、ステップＳ２７からステップＳ１３に戻る際、ステップＳ２１で開始したＳＣ有無監視は一旦終了せしめられ、且つ、判定閾値ＴＨは初期値ＴＨINITに戻される。
【００４３】
具体的な事例を、図６の記録動作に当てはめて考える。図５も参照する。今、動画像ＭＶの区間Ａ［１］における圧縮画像データ及び圧縮音響データのデータ量、動画像ＭＶの区間Ａ［２］における圧縮画像データ及び圧縮音響データのデータ量、動画像ＭＶの区間Ａ［３］における圧縮画像データ及び圧縮音響データのデータ量が、夫々、２．５ＧＢ、１．２ＧＢ、１．５ＧＢである場合を考え、且つ、基準サイズＲＥＦが３．６ＧＢである場合を考える。
【００４４】
そうすると、第１画像ファイルに対する圧縮画像データ及び圧縮音響データの記録の開始後、区間Ａ［２］中の圧縮画像データ及び圧縮音響データを第１画像ファイルに記録している最中において、第１画像ファイルのファイルサイズＳＺ［１］が基準サイズＲＥＦである３．６ＧＢに達するため、その時点でＳＣ有無監視が開始される（ステップＳ２１）。その後、画像データの区間が区間Ａ［２］から区間Ａ［３］から切り替わる部分においてＳＣ検出処理によりタイミングｔ［３］に相当するシーンチェンジ点が検出される（ステップＳ２２のＹ）。この検出が成されるときのファイルサイズＳＺ［１］は“２．５＋１．２＝３．７”より３．７ＧＢである。ファイル作成部３３は、タイミングｔ［３］に相当するシーンチェンジ点で第１画像ファイルに体する圧縮画像データ及び圧縮音響データの記録を終了し（ステップＳ２６）、当該シーンチェンジ点以降の圧縮画像データ及び圧縮音響データを、第１画像ファイルと異なる第２画像ファイルに記録する（ステップＳ２７、Ｓ１３及びＳ１４）。
【００４５】
区間Ａ［３］〜Ａ［ｎ］における圧縮画像データ及び圧縮音響データの総データ量が基準サイズＲＥＦ以下であれば、区間Ａ［３］〜Ａ［ｎ］における圧縮画像データ及び圧縮音響データが第２画像ファイルに記録されて図６の記録動作が終了する（図７参照）。そうでなければ、第２画像ファイルのファイルサイズＳＺ［２］が基準サイズＲＥＦに達した時点でＳＣ有無監視が再び開始され（ステップＳ２１）、第２画像ファイルに対して上述と同様の処理が行われる。結果、区間Ａ［３］〜Ａ［ｎ］の圧縮画像データ及び圧縮音響データが、第２画像ファイルを含む２以上の画像ファイルに分割して記録される（例えば、区間Ａ［３］〜Ａ［ｎ−１］の圧縮画像データ及び圧縮音響データが第２画像ファイルに記録され、区間Ａ［ｎ］の圧縮画像データ及び圧縮音響データが第３画像ファイルに記録される）。
【００４６】
本実施形態によれば、共通シーンの画像データが別々の画像ファイルに分かれて記録（保存）されることが回避される。即ち、シーンと画像ファイルが一致するようになり、再生時等における利便性が向上する（図８の如く共通シーンが別々の画像ファイルに分かれている場合との比較においてメリットがある）。シーンと画像ファイルが一致しておればファイル管理も行いやすい。
【００４７】
ＳＣ有無監視の開始後、ファイルサイズＳＺ［ｊ］及び上限サイズＬＩＭ間の差分サイズが大きいときに、シーンチェンジ点が有ると検出するための判断基準（以下、ＳＣ有判断基準という）を緩くすると、真にシーンチェンジが発生していないのにファイル分割が行われる可能性が高まり、好ましくない（不要なファイル分割はファイル数の増大を招き、ファイル管理が煩雑になる）。故に、上記差分サイズが大きいときにはＳＣ有判断基準を比較的高く設定しておいた方が良い。
【００４８】
一方、上記差分サイズが小さくなってきたときにＳＣ有判断基準を高く設定したままであると、シーンチェンジを見逃す恐れが高まる分、ファイル分割の好機を逸失する可能性が高くなる。ＳＣ有判断基準を緩めると真のシーンチェンジ点以外の点をシーンチェンジ点と誤検出してファイル分割を行う可能性が高まるが、遅くともファイルサイズＳＺ［ｊ］が上限サイズＬＩＭに達した時点でファイル分割を行う必要があるのであるから、上記差分サイズが小さくなってきたときにはＳＣ有判断基準を緩めても弊害は少ない。
【００４９】
これらを考慮して、ステップＳ２５の判定閾値調整処理が設けられており、当該処理により、過度のファイル分割を抑制しつつシーンチェンジ点でのファイル分割が促進される。但し、ステップＳ２５の判定閾値調整処理を割愛することも可能である。この場合、判定閾値ＴＨを一定値に固定しておけば良い。
【００５０】
＜＜変形等＞＞
本発明の実施形態は、特許請求の範囲に示された技術的思想の範囲内において、適宜、種々の変更が可能である。以上の実施形態は、あくまでも、本発明の実施形態の例であって、本発明ないし各構成要件の用語の意義は、以上の実施形態に記載されたものに制限されるものではない。上述の説明文中に示した具体的な数値は、単なる例示であって、当然の如く、それらを様々な数値に変更することができる。上述の実施形態に適用可能な注釈事項として、以下に、注釈１〜注釈５を記す。各注釈に記載した内容は、矛盾なき限り、任意に組み合わせることが可能である。
【００５１】
［注釈１］
電子機器１に、上述した機能以外の機能が更に設けられていてもよい。例えば、電子機器１に撮影機能が設けられていても良い。この場合、ＣＣＤ（Charge Coupled Device）又はＣＭＯＳ（Complementary Metal Oxide Semiconductor）イメージセンサ等の固体撮像素子を有し、撮影によって被写体の画像信号を生成する撮像部が、撮像装置とも言うべき電子機器１に設けられる。撮像部による撮影動画像が上述の動画像ＭＶに相当すると考えても良い。撮像部から出力される被写体の画像信号がアナログ信号（アナログ映像信号）である場合、撮像部の出力画像信号をアナログ信号処理部１２に与えることで、撮像部の撮影動画像としての動画像ＭＶの画像データが生成される。
【００５２】
撮像部から出力される被写体の画像信号がデジタル信号である場合においても、撮像部の出力画像信号を信号処理部１２に入力することが可能である。この場合には、当然、信号処理部１２にて入力画像信号のデジタル化は不要であり、信号処理部１２は、アナログ／デジタル変換処理以外の所定の信号処理（例えば、信号増幅、デモザイキング処理、ノイズ低減処理、エッジ強調処理）を撮像部の出力画像信号（出力デジタル画像信号）に施し、これによって得た画像信号（信号処理を経た撮像部の出力画像信号）を、動画像ＭＶの画像データとして出力すれば良い。
【００５３】
［注釈２］
上述の実施形態では、圧縮された画像データ及び音響データである圧縮画像データ及び圧縮音響データを記録媒体１６（画像ファイル）に記録するようにしているが、画像データ及び音響データを、圧縮することなく記録媒体１６（画像ファイル）に記録するようにしても良い。
【００５４】
［注釈３］
アナログ音響信号の入力端子１１への入力、アナログ信号処理部１２によるアナログ音響信号のデジタル化、及び、圧縮音響データ等の音響データの記録は、割愛されても良い。
【００５５】
［注釈４］
例えば、以下のように考えることができる。電子機器１を画像記録装置（又は画像変換記録装置）と呼ぶこともできる。或いは、電子機器１は画像記録装置（又は画像変換記録装置）を内包している。画像記録装置（又は画像変換記録装置）の構成要素には、信号処理部１２及び記録制御部５０が含まれ、更に入力端子１１及び／又は記録媒体１６も含まれうる。信号処理部１２は、アナログ／デジタル変換処理を介して又はアナログ／デジタル変換処理を介さずに（注釈１参照）、動画像ＭＶの画像データを取得するデータ取得部として機能する。
【００５６】
［注釈５］
電子機器１又は画像記録装置である対象装置を、ハードウェア、或いは、ハードウェアとソフトウェアの組み合わせによって構成することができる。対象装置にて実現される機能の全部又は一部である任意の特定の機能をプログラムとして記述して、該プログラムをメモリ部１４に保存しておき、該プログラムをプログラム実行装置（例えばＣＰＵ３１）上で実行することによって、その特定の機能を実現するようにしてもよい。上記プログラムは任意の記録媒体に記憶及び固定されうる。上記プログラムを記憶及び固定する記録媒体は対象装置と異なる機器（サーバ機器等）に搭載又は接続されても良い。
【符号の説明】
【００５７】
１  電子機器
１２  アナログ信号処理部
１６  記録媒体
５０  記録制御部
【図１】
2014086814.tif 000003
【図２】
2014086814.tif 000004
【図３】
2014086814.tif 000005
【図４】
2014086814.tif 000006
【図５】
2014086814.tif 000007
【図６】
2014086814.tif 000008
【図７】
2014086814.tif 000009
【図８】
2014086814.tif 000010